(57)【要約】【課題】雑音が発生する録音装置において、均一した抑圧結果をもたらし且つ演算処理量が少ない抑圧手法を提案する。【解決手段】本発明の雑音抑圧装置は、入力信号を一定間隔毎に分割してフレーム分割された信号を出力するフレーム分割部、フレーム分割された信号から周波数領域スペクトルを計算して出力するＦＦＴ変換部、周波数領域スペクトルのスペクトルパワーを計算するスペクトルパワー計算部、スペクトルパワーの値に基づいて各周波数スペクトルを平滑化する周波数スペクトル平滑化部、平滑化された周波数スペクトルに対し雑音抑圧を行う雑音抑圧部、雑音抑圧された周波数スペクトルに対して逆高速フーリエ変換を実行することにより時間領域に変換された時間領域信号を出力するｉＦＦＴ変換部、及び時間領域信号の波形合成を行うことにより合成信号を出力する波形合成部を備える。【選択図】図１
2013130815.tif 000002
【特許請求の範囲】
【請求項１】
雑音が発生する録音装置において雑音成分を抑圧し音声信号を取り出す雑音抑圧装置であって、
入力信号を一定間隔毎に分割してフレーム分割された信号を出力するフレーム分割部と、
前記フレーム分割された信号から周波数領域スペクトルを計算して出力するＦＦＴ変換部と、
前記周波数領域スペクトルのスペクトルパワーを計算するスペクトルパワー計算部と、
前記スペクトルパワーの値に基づいて各周波数スペクトルを平滑化する周波数スペクトル平滑化部と、
当該平滑化された周波数スペクトルに対し雑音抑圧を行う雑音抑圧部と、
当該雑音抑圧された周波数スペクトルに対して逆高速フーリエ変換を実行することにより、時間領域に変換された時間領域信号を出力するｉＦＦＴ変換部と、
前記時間領域信号の波形合成を行うことにより合成信号を出力する波形合成部と
を備えることを特徴とする雑音抑圧装置。
【請求項２】
前記合成信号に対し雑音印加を行う雑音印加部をさらに備えることを特徴とする請求項１に記載の雑音抑圧装置。
【請求項３】
前記雑音印加部は、前記録音装置全体で発生しているフロア雑音と等価の雑音を生成し、前記等価の雑音を前記合成信号に印加することを特徴とする請求項２に記載の雑音抑圧装置。
【請求項４】
前記周波数スペクトル平滑化部は、各周波数スペクトルの前記スペクトルパワーの値が所定の閾値未満の場合は前記周波数スペクトルの平滑化を行い、前記スペクトルパワーが所定の閾値以上の場合は前記周波数スペクトルの平滑化を行わないことを特徴とする請求項１乃至３のいずれかに記載の雑音抑圧装置。
【請求項５】
前記雑音抑圧部は、前記平滑化された周波数スペクトルに基づいて、スペクトラムサブトラクト方式により雑音抑圧を行うことを特徴とする請求項１乃至４のいずれかに記載の雑音抑圧装置。
【請求項６】
前記波形合成部は、フレームが隣接した前記時間領域信号に関してフレーム内のサンプルの半分ずつをオーバーラップさせるように、前記隣接した時間領域信号同士の波形合成を行うことを特徴とする請求項１乃至５のいずれかに記載の雑音抑圧装置。
【発明の詳細な説明】
【技術分野】
【０００１】
本発明は、雑音が発生する録音装置において、スペクトル分析を行うことによって音声信号に含まれる雑音を低減するための雑音抑圧装置に関するものである。
【背景技術】
【０００２】
デジタルカメラで録画を行う際にズームを行うと、レンズの移動音や駆動音がマイクから録音されて異音となる場合がある。特に、デジタルコンパクトカメラでは、筐体自体が小さいこともあり、雑音発生源とマイクが極めて近くにあることから、雑音が大きな音量で録音される。
【０００３】
雑音の発生を抑える方法として静穏モーターを搭載する手法も考えられるが、静穏モーターが比較的高価であることに加え、特にコンパクトカメラでは配置スペースを確保することが難しい。それ故、安価で小さなステッピングモーターを使い、かつ雑音を抑圧することが出来れば、製造者にとって大きなコストメリットとなる。
【０００４】
ステッピングモーターの駆動による雑音は、特定の周波数が常に存在するような形状ではなく、パルス状の雑音が周期的に存在する形状となる。このパルス状の雑音は、レンズの位置、歯車の摩擦、及び形状の違い等による影響で毎回同じ形状とはならず、時々刻々と変化する。
【０００５】
雑音抑圧の技術として、周波数領域でのスペクトラムサブトラクト方式による雑音抑圧が一般的に知られている。このような雑音抑圧の技術としては、非特許文献１を初めとして多くの手法が提案されている。非特許文献１に記載の手法では、短時間スペクトルから推定雑音スペクトルを減算することにより入力音声の雑音成分を除去している。
【０００６】
特許文献１では、音声区間及び雑音スペクトルを推定する手段を有し、入力信号を一定間隔のフレームに分割し、音声区間の推定結果に応じてスペクトラムサブトラクトの減算量を変化させる方法が提案されている。すなわち、特許文献１で提案されている手法は、連続する音声区間において、摩擦子音などパワーが小さい部分で強く抑圧されると入力音声の歪が大きくなるので、それを防ぐ目的で抑圧量を減らすものである。
【０００７】
また、特許文献２では、推定音声区間と推定雑音区間とのそれぞれの平均パワーを求め、その比が大きいときに推定雑音区間での雑音抑圧を大きくする手法が提案されている。
【先行技術文献】
【特許文献】
【０００８】
【特許文献１】特開平８−２２１０９２号公報
【特許文献２】特開２００８−２１６７２１号公報
【非特許文献】
【０００９】
【非特許文献１】Boll, “Suppression of Acoustic Noise in Speech Using Spectral Subtraction”, IEEE Trans. on Acoustics, speech and Signal processing, Vol. Assp-27, No.2, April 1979, pp.113-120
【発明の概要】
【発明が解決しようとする課題】
【００１０】
上述したスペクトラムサブトラクト方式を用いて単純に雑音抑圧を試みると、Ｓ／Ｎ比は大きく改善されるが、聴感上は音質の劣化及び違和感の増加をもたらすことが少なくない。その原因の一つは、ミュージカルノイズと呼ばれる不自然な雑音成分が雑音抑圧後の信号に形成されることによる。
【００１１】
このミュージカルノイズが発生する原因は、雑音のパワーの変動に対して雑音抑圧の抑圧量が追従できない場合に、抑圧しきれない雑音成分が不規則に現れることによる。上述したように、ステッピングモーターの駆動による雑音はパルス状であり、スペクトルのパワーはフレーム毎に異なるため一定とならない。スペクトルのパワーをフレーム毎にある一定値で抑圧しようとすると、雑音パワーが小さい場合は完全に抑圧され、雑音パワーが大きい場合は消し残しが発生し、これが不規則に現れることでミュージカルノイズとなる。
【００１２】
また、雑音抑圧の前後で音質が変化することも、聴感上の大きな違和感となる。雑音抑圧を施したスペクトルでは、雑音成分が大幅に抑圧されるが、同時にその帯域にあった音声、環境音、及びノイズフロアまで抑圧される。結果として、雑音抑圧を行っている期間は特定の帯域の音がなくなり、雑音抑圧のオンオフの切り替わりで音質が変わって聴こえることとなる。例として、高域側で雑音成分が多い場合を考えると、雑音抑圧の結果として高域の音がなくなり、こもった音声に変質する。
【００１３】
従来、ミュージカルノイズへの対策としては、雑音抑圧を想定していた値より大きな量で抑圧する手法がある。抑圧する量を大きくすることにより消し残しが起こる確率を減らし、結果としてミュージカルノイズそのものを抑える。一方で、抑圧量そのものが大きくなるので、前述した抑圧のオンオフでの切り替わり感はより強く感じられる。雑音抑圧による音の変質への対策としては、抑圧量を減らすことによってなされることが多い。これは、Ｓ／Ｎ改善とのトレードオフの関係となる。
【００１４】
本発明は、上記従来の問題点を解決する雑音抑圧装置を提案することを目的とする。本発明では、スペクトラムサブトラクト方式によるミュージカルノイズの発生を少ない演算で抑圧し、聴感上の違和感を低減することを目的としている。
【課題を解決するための手段】
【００１５】
上記課題を解決するために、請求項１に係る発明は、雑音が発生する録音装置において雑音成分を抑圧し音声信号を取り出す雑音抑圧装置であって、入力信号を一定間隔毎に分割してフレーム分割された信号を出力するフレーム分割部と、前記フレーム分割された信号から周波数領域スペクトルを計算して出力するＦＦＴ変換部と、前記周波数領域スペクトルのスペクトルパワーを計算するスペクトルパワー計算部と、前記スペクトルパワーの値に基づいて各周波数スペクトルを平滑化する周波数スペクトル平滑化部と、当該平滑化された周波数スペクトルに対し雑音抑圧を行う雑音抑圧部と、当該雑音抑圧された周波数スペクトルに対して逆高速フーリエ変換を実行することにより、時間領域に変換された時間領域信号を出力するｉＦＦＴ変換部と、前記時間領域信号の波形合成を行うことにより合成信号を出力する波形合成部とを備えることを特徴とする雑音抑圧装置である。
【００１６】
請求項２に係る発明は、請求項１に記載の雑音抑圧装置であって、前記合成信号に対し雑音印加を行う雑音印加部をさらに備えることを特徴とする。
【００１７】
請求項３に係る発明は、請求項２に記載の雑音抑圧装置であって、前記雑音印加部は、前記録音装置全体で発生しているフロア雑音と等価の雑音を生成し、前記等価の雑音を前記合成信号に印加することを特徴とする。
【００１８】
請求項４に係る発明は、請求項１乃至３のいずれかに記載の雑音抑圧装置であって、前記周波数スペクトル平滑化部は、各周波数スペクトルの前記スペクトルパワーの値が所定の閾値未満の場合は前記周波数スペクトルの平滑化を行い、前記スペクトルパワーが所定の閾値以上の場合は前記周波数スペクトルの平滑化を行わないことを特徴とする。
【００１９】
請求項５に係る発明は、請求項１乃至４のいずれかに記載の雑音抑圧装置であって、前記雑音抑圧部は、前記平滑化された周波数スペクトルに基づいて、スペクトラムサブトラクト方式により雑音抑圧を行うことを特徴とする。
【００２０】
請求項６に係る発明は、請求項１乃至５のいずれかに記載の雑音抑圧装置であって、前記波形合成部は、フレームが隣接した前記時間領域信号に関してフレーム内のサンプルの半分ずつをオーバーラップさせるように、前記隣接した時間領域信号同士の波形合成を行うことを特徴とする。
【発明の効果】
【００２１】
本発明に係る雑音抑圧装置は、雑音のパワー量が変化する場合でも均一した抑圧結果をもたらすことができる。さらに、本発明に係る雑音抑圧装置は、雑音抑圧のオンオフ切り替わり感を低減することができる。
【図面の簡単な説明】
【００２２】
【図１】本発明に係る雑音抑圧装置のブロック構成図である。
【図２】本発明に係る雑音抑圧装置のＦＦＴ変換部のブロック構成図である。
【図３】本発明に係る雑音抑圧装置の周波数スペクトル平滑化部のブロック構成図である。
【図４】平滑化係数αn(ｗ)とパワーＸn(ｗ)との関係を示すグラフである。
【図５】ある録音機器において外部雑音が入っている状態のスペクトルを示す図である。
【図６】ある録音機器のフロア雑音を示す図である。
【図７】ある録音機器にて、本発明の雑音抑圧処理を施した状態のスペクトルを示す図である。
【図８】ある録音機器にて、本発明の雑音抑圧処理と雑音印加とを施した状態のスペクトルを示す図である。
【発明を実施するための形態】
【００２３】
図１は、本発明の雑音抑圧装置の実施の形態を示すブロック構成図である。図１に示される雑音抑圧装置１００は、雑音抑圧装置１００の入力端子に接続されたフレーム分割部１０１と、フレーム分割部１０１に接続されたＦＦＴ変換部１０２と、ＦＦＴ変換部１０２に接続された周波数スペクトルパワー計算部１０３と、周波数スペクトルパワー計算部１０３に接続された周波数スペクトル平滑化部１０４と、ＦＦＴ変換部１０２及び周波数スペクトル平滑化部１０４に接続された雑音抑圧部１０５と、雑音抑圧部１０５に接続されたｉＦＦＴ変換部１０６と、ｉＦＦＴ変換部１０６に接続された波形合成部１０７と、雑音抑圧装置１００の出力端子及び波形合成部１０７に接続された雑音印加部１０８とを備える。図１に記載の構成と従来のスペクトラムサブトラクト方式に係る構成との相違点は、本発明の雑音抑圧装置１００において周波数スペクトル平滑化部１０４と雑音印加部１０８とが追加されていることである。本発明の雑音抑圧装置１００に係る雑音抑圧手法では、スペクトラムサブトラクト方式において、周波数スペクトル平滑化部１０４によるスペクトル平滑化処理及び雑音印加部１０８による雑音印加を実行する。
【００２４】
フレーム分割部１０１は、入力端子に供給された音声信号を入力し、入力した音声信号を所定の長さのフレーム単位で分割して、フレーム信号をＦＦＴ変換部１０２に出力する。ＦＦＴ変換部１０２は、フレーム分割部１０１からフレーム信号を入力し、入力したフレーム信号に高速フーリエ変換などの変換を施して複数の周波数成分に分割して、変換したフレーム信号に関するスペクトル情報を生成し、スペクトル情報を周波数スペクトルパワー計算部１０３及び雑音抑圧部１０５に出力する。スペクトル情報は、入力したフレーム信号に高速フーリエ変換を実行した結果の実数及び虚数データを含む。周波数スペクトルパワー計算部１０３は、ＦＦＴ変換部１０２からスペクトル情報を入力し、入力したスペクトル情報に基づいて各スペクトルのパワーＸn(ｗ)を計算して出力する。周波数スペクトル平滑化部１０４は、周波数スペクトルパワー計算部１０３から各スペクトルのパワーＸn(ｗ)を入力し、後述するように、周波数スペクトル毎にパワーＸn(ｗ)の平滑化処理を行い、出力ＸＳn(ｗ)を雑音抑圧部１０５に出力する。
【００２５】
雑音抑圧部１０５は、周波数スペクトル平滑化部１０４から出力された出力ＸＳn(ｗ)とＦＦＴ変換部１０２から出力されたスペクトル情報とを入力する。雑音抑圧部１０５は、既知の雑音量Ｎn(ｗ)に基づいて出力ＸＳn(ｗ)の雑音抑圧を行うことにより雑音抑圧信号を生成し、ＦＦＴ変換部１０２から入力したスペクトル情報の位相と同じ位相となるように雑音抑圧信号の角度変換を実行して出力する。ｉＦＦＴ変換部１０６は、角度変換がなされた雑音抑圧信号を雑音抑圧部１０５から入力して、逆高速フーリエ変換などの変換処理により時間領域信号に変換して出力する。波形合成部１０７は、ｉＦＦＴ変換部１０６から出力された時間領域信号を入力し、入力した時間領域信号にハーフバンドオーバーラップ処理を実行することにより時間領域信号の波形合成を行い、合成信号として出力する。雑音印加部１０８は、波形合成部１０７から合成信号を入力し、入力した合成信号に対して、後述するようにフロア雑音相当の雑音を印加して、雑音印加信号を雑音抑圧装置１００の出力端子に出力する。
【００２６】
以下、雑音抑圧装置１００の各構成要素に関する処理をより詳細に説明する。
【００２７】
フレーム分割部１０１は、入力端子から入力した音声信号を所定の長さのフレーム間隔に切り出す。ＦＦＴ変換部１０２の処理量はｎ×ｌｏｇ(ｎ)のオーダーであるので、フレーム分割部１０１においては短いフレームで処理した方がＦＦＴ変換部１０２における処理量は少なくなるが、一方で低音成分に歪が出る等の悪影響もある。フレーム分割部１０１の分割処理においては、サンプリング周波数が４８ｋＨｚの場合、１０２４サンプル点が音質に影響がない限界で、５１２サンプル点であると低音が歪む。従って、サンプリング周波数が４８ｋＨｚの場合、各フレームは、１０２４サンプル以上のサンプル点を含むことが好ましい。
【００２８】
図２は、本発明に係る雑音抑圧装置１００のＦＦＴ変換部１０２の構成を示す。フーリエ変換は信号の周期性が保証されていることを前提として行うため、図２に示されるように、ＦＦＴ変換部１０２は、ステップ２０１で、フレーム信号に窓関数をかける。例えば、ＦＦＴ変換部１０２では、（式１）に示すハン窓を用いることができる。出力の振幅を補正するのであれば、ＦＦＴ変換部１０２において（式２）に示すハミング窓も用いることができる。
ｗ(ｎ)＝０．５−０．５×ｃｏｓ(２πｎ／Ｌ)      （式１）
ｗ(ｎ)＝０．５４−０．４６×ｃｏｓ(２πｎ／Ｌ)      （式２）
【００２９】
ここで、Ｌは１フレームあたりのサンプル数を示し、ｎはフレーム内におけるサンプルの位置を示し、すなわちｎ＝(０，１，…，Ｌ−１)である。次に、図２に示されるように、ＦＦＴ変換部１０２は、ステップ２０２で、窓関数をかけた各フレーム信号に対して高速フーリエ変換を行うことにより周波数領域のデータに変換して、それぞれの周波数領域についての各スペクトル情報を生成する。
【００３０】
周波数スペクトルパワー計算部１０３は、入力した各スペクトル情報におけるそれぞれのスペクトルのパワーを計算する。高速フーリエ変換により得られたスペクトル情報のそれぞれについての実数成分と虚数成分との自乗和の平方根を、スペクトルのパワーＸn(ｗ)として扱う。
【００３１】
周波数スペクトル平滑化部１０４は、スペクトルのパワーＸn(ｗ)が所定の平滑化閾値Ｘthより小さい場合は、パワーＸn(ｗ)を平滑化する。周波数スペクトル平滑化部１０４では、抑圧したいノイズが積極的に平滑化されるように平滑化閾値Ｘthを設定する。また、周波数スペクトル平滑化部１０４は、スペクトルのパワーＸn(ｗ)が所定の平滑化閾値Ｘthより大きい場合は、パワーＸn(ｗ)を平滑化せずにパワーＸn(ｗ)そのものの値を出力する。
【００３２】
図３は、周波数スペクトル平滑化部１０４のブロック図を示す。図３に示されるように、周波数スペクトル平滑化部１０４は、平滑化係数算出部３０１と、定数乗算器３０２、３０５と、加算器３０３と、遅延器３０４とを備える。平滑化係数算出部３０１は、入力したパワーＸn(ｗ)に応じた平滑化係数αn(ｗ)を計算する。定数乗算器３０２は、パワーＸn(ｗ)を入力し、平滑化係数算出部３０１において計算した平滑化係数αn(ｗ)を用いて、パワーＸn(ｗ)に１−αn(ｗ)を乗算して、出力（１−αn(ｗ)）Ｘn(ｗ)を出力する。加算器３０３は、定数乗算器３０２からの出力（１−αn(ｗ)）Ｘn(ｗ)と、後述する定数乗算器３０５からの出力とを加算して出力ＸＳn(ｗ)を出力する。遅延器３０４は、加算器３０３から入力した出力ＸＳn(ｗ)を１サンプル遅延して遅延出力ＸＳn-1(ｗ)を出力する。定数乗算器３０５は、遅延器３０４からの遅延出力ＸＳn-1(ｗ)を入力して、遅延出力ＸＳn-1(ｗ)に平滑化係数αn(ｗ)を乗算して加算器３０３に出力する。
【００３３】
平滑化係数αn(ｗ)は、パワーＸn(ｗ)が平滑化閾値Ｘth以上の場合は０をとり、平滑化閾値Ｘth未満であれば１未満の値をとるように計算する。平滑化閾値ＸthとパワーＸn(ｗ)との差をＴＭＰ1とし、平滑化係数αn(ｗ)の最大値を０．７５とした場合、ＴＭＰ1及び平滑化係数αn(ｗ)は、それぞれ、以下の（式３）、（式４）によって示される。
【００３４】
【数１】
2013130815.tif 000003
【００３５】
αn(ｗ)＝０．７５×ＴＭＰ1／Ｘth                （式４）
【００３６】
図４は、平滑化係数αn(ｗ)が（式４）のように示される場合の平滑化係数αn(ｗ)とパワーＸn(ｗ)との関係を示すグラフである。図４に示されるように、平滑化係数αn(ｗ)は、パワーＸn(ｗ)が大きくなるにつれて最大値０．７５から線形に減少していき、パワーＸn(ｗ)が平滑化閾値Ｘthと等しくなると０となり、それ以降も０となる。
【００３７】
周波数スペクトル平滑化部１０４は、上記（式４）により求めた平滑化係数αn(ｗ)を用いて各スペクトルのパワーＸn(ｗ)の平滑化を行い、出力ＸＳn(ｗ)を雑音抑圧部１０５に出力する。パワーＸn(ｗ)が小さい程、平滑化係数αn(ｗ)が大きくなるため強く平滑化処理が行われて出力ＸＳn(ｗ)となり、逆にパワーＸn(ｗ)が大きいと平滑化係数αn(ｗ)は０となり、入力したパワーＸn(ｗ)が平滑化されずにそのまま出力ＸＳn(ｗ)となる。このようにして各スペクトルのパワーＸn(ｗ)の平滑化を行うことにより、少ない計算量で均一した抑圧結果を得ることが可能になる。
【００３８】
雑音抑圧部１０５は、スペクトル情報及び出力ＸＳn(ｗ)を入力し、ＸＳn(ｗ)から既知の雑音量Ｎn(ｗ)を減ずることにより雑音抑圧を行う。既知の雑音量Ｎn(ｗ)としては、例えば静かな環境で録音装置から発生するノイズのみを録音し、当該録音したデータに高速フーリエ変換を実行して得られた各スペクトルのパワーを使用する。下記の（式６）で求められた抑圧比Ｈn(ｗ)の値に、ＦＦＴ変換部１０２のスペクトル情報を乗算することにより雑音抑圧を行い、雑音抑圧信号を生成する。雑音抑圧部１０５は、ＦＦＴ変換部１０２から入力したスペクトル情報の位相と同じ位相となるように雑音抑圧信号の角度変換を実行して出力する。出力ＸＳn(ｗ)と既知の雑音量Ｎn(ｗ)との差をＴＭＰ2とすると、
【００３９】
【数２】
2013130815.tif 000004
【００４０】
ここで、既知の雑音量Ｎn(ｗ)がＸＳn(ｗ)より大きければ、Ｈn(ｗ)は０未満となるため、（式５）および（式６）によりＨn(ｗ)＝０となる。（式５）では下限値を０としているが、それよりも大きな値を下限値とすることにより雑音抑圧のオンオフ切り替わり感を低減させることも可能である。
【００４１】
ｉＦＦＴ変換部１０６は、雑音抑圧部１０５から角度変換がなされた雑音抑圧信号を入力し、入力した雑音抑圧信号に対して逆高速フーリエ変換を実行することにより、時間領域に変換されたフレーム単位の時間領域信号を生成して出力する。時間領域信号の振幅は、窓関数の形状となる。時間領域信号の振幅は元の信号の振幅にあわせる必要があるが、逆窓関数による変換では両端部分の信号のダイナミックレンジが著しく劣化する。これを避けるために、フレームが隣接する時間領域信号に関してフレーム内のサンプルの半分ずつをオーバーラップさせる手法がとられる。この波形合成を行う処理部が波形合成部１０７である。波形合成部１０７は、ｉＦＦＴ変換部１０６から時間領域信号を入力し、フレームが隣接する時間領域信号に関してフレーム内のサンプルの半分ずつをオーバーラップさせるように、隣接した時間領域信号同士の波形合成を行い、合成信号を生成して出力する。
【００４２】
図５は一例として録音機器に入る雑音のスペクトルを示し、図６はその録音機器のフロア雑音を示し、図７は雑音が抑圧された状態のスペクトルを示す。図５に示されるスペクトルと図７に示されるスペクトルとを比較すると、雑音が安定的に抑圧されていることを確認できる。しかしながら、図６に示されるスペクトルと図７に示されるスペクトルとを比較すると、フロア雑音も大きく損なわれていることもわかる。つまり、雑音は抑圧されるものの、オンオフの切り替わりでフロア雑音が損なわれている点が聴感上の違和感として知覚される。
【００４３】
この切り替わりの違和感を低減することを目的として、雑音印加部１０８は、録音システム全体で発生しているフロア雑音と等価の雑音を生成し、合成信号に対してフロア雑音相当の雑音を印加する。雑音印加部１０８は、波形合成部１０７から合成信号を入力し、入力した合成信号にフロア雑音と等価な雑音を印加する、もしくは雑音抑圧が行われる帯域が既知の場合はその帯域部分の雑音を印加することにより、雑音印加信号を生成して雑音抑圧装置１００の出力端子に出力する。
【００４４】
図８は、雑音印加部１０８による雑音印加後のスペクトルを示す。図８に示されるように、雑音印加後のスペクトルにおいては、雑音が安定的に抑圧され、且つオンオフの切り替わりでフロア雑音も保たれていることがわかる。このように、合成信号にフロア雑音と等価な雑音を印加することにより、オンオフの切り替わりの違和感を低減することが可能になる。
【符号の説明】
【００４５】
１００  雑音抑圧装置
１０１  フレーム分割部
１０２  ＦＦＴ変換部
１０３  スペクトルパワー計算部
１０４  周波数スペクトル平滑部
１０５  雑音抑圧部
１０６  ｉＦＦＴ変換部
１０７  波形合成部
１０８  雑音印加部
３０１  平滑化係数算出部
３０２、３０５  定数乗算器
３０３  加算器
３０４  遅延器
【図１】
2013130815.tif 000005
【図２】
2013130815.tif 000006
【図３】
2013130815.tif 000007
【図４】
2013130815.tif 000008
【図５】
2013130815.tif 000009
【図６】
2013130815.tif 000010
【図７】
2013130815.tif 000011
【図８】
2013130815.tif 000012